(57)【要約】【課題】  植木鉢にやった水の余剰な水が受け皿に貯まり、この水が植木鉢の底部を常時浸すことにより植木の根が腐ってしまう現象を防ぐことを目的とする。【解決手段】植木鉢の受け皿の底部の任意の場所に任意の形状の凸部を設けることにより、植木鉢を凸部の高さだけ浮かせることができる。この為、受け皿にたまった水が植木鉢の底部を常時浸すことが無くなり、前記課題を解決することができる。【選択図】図２
2005065609.tif 000002
【特許請求の範囲】
【請求項１】
受け皿本体底部に、所定の空間を空けて、受け皿本体底部全体に、均一に分散するように配置されている複数の凸部を備え、
前記凸部の間の空間は、植木鉢の底から流れ出た余剰の水を収容し、
前記複数の凸部の上面は、いずれも５ｍｍ以上で均一な高さになるように選定され、
前記複数の凸部の上面は、植木鉢の底面の、排水孔を塞がない場所に接して植木鉢を支持することを特徴とする受け皿。
【請求項２】
受け皿本体底部は円形であって、その中心からみたときに、凸部が同心円状に分散配置されていることを特徴とする請求項１に記載の受け皿。
【請求項３】
凸部の間の空間に、水浸透性材料を配置し、
前記水浸透性材料は、凸部の間の空間から凸部上面に支持された植木鉢下面にある排水孔に接する部分まで延長されたブロック状体からなることを特徴とする請求項１に記載の受け皿。
【請求項４】
受け皿本体底部に、所定の空間を空けて、受け皿本体底部全体に、均一に分散するように配置される複数の凸部であって、
上面は、いずれも５ｍｍ以上で均一な高さになるように選定され、
受け皿本体と分離可能なことを特徴とする受け皿用凸部。
【発明の詳細な説明】
【技術分野】
【０００１】
本発明は植木鉢にやった水の余剰な水が受け皿にたまり、この水が植木鉢の底を常時浸し、植木の根が腐ってしまう現象を防止する方法の提案である。
【背景技術】
【０００２】
植木鉢にやった水の余剰な水は当然受け皿に貯まることになるが、従来の受け皿の底辺は平らなため、たまった水は植木鉢を常時浸すことになる、これが植木の根を腐らせる原因となる。
【発明の開示】
【発明が解決しようとする課題】
【０００３】
植木鉢を室内に置くときには受け皿を使用するのが普通である。植木鉢には必要に応じて水をやらなくてはならないが、しばしば水をやりすぎて余剰な水が植木鉢の底にたまり、植木の根を腐らせる原因になっている。
【０００４】
この対策として、受け皿にたまった水と植木鉢の底とを必要な寸法だけ離すことにより、植木の根を腐らせることを防止することができる。この対策を講じた形状の受け皿を発明し、植木鉢の根腐れ防止することを目的とする。
【課題を解決するための手段】
【０００５】
上記目的を達成する手段として受け皿の底部の任意の場所に１５ｍｍほどの凸部を設けた。この凸部により受け皿にたまった水は植木鉢を常時浸水することを防止するので容易に目的を達成できることが確認された。
【発明を実施するための最良の形態】
【０００６】
以下に実施例の詳細を述べる。
図１は植木鉢を市販の受け皿に置いた状態を示す。１は植木鉢、２は市販の受け皿である。植木鉢には適量の水をやればよいのだがついついやり過ぎてしまう、その余剰の水は受け皿にたまることになる。その状態を３に示す。
【０００７】
図２は植木鉢を本発明による実施例１に置いた状態を示す。１は前記の植木鉢である。４は本発明による実施例１の受け皿本体である。５は本発明の特徴である凸部を示し、約１５ｍｍの高さである。尚この突部の部材、形成法は特に規定する必要は無い、部材は市販の受け皿に使用されているプラスチック材と同じのが成型時に好都合である。
また高さはあまり低い（５ｍｍ以下）と目的上意味がなさないので１〜２ｃｍ程度が良い。６は植木鉢にやった水の余剰分がたまった状況を示す。この６の余剰な水の高さが凸部５の高さより低い限り、植木鉢１は常時浸水状態になることは無い。したがって植木の根腐れは防止できることになる。
【０００８】
次に本発明による実施例を示す。
図３は実施例１の平面図である。
図４は図３のＡ、Ｂの断面図である。
実施例１は前記で述べた図２の受け皿本体４である。５は本発明の特徴である凸部を示す。
この凸部５の上に、植木鉢を置いたとき安定するように凸部５の数は４箇所とした。この４箇所のすべての凸部５の高さはいずれも１５ｍｍとした。
【０００９】
即ち、受け皿本体底部には、所定の空間を空けて、複数の凸部５が、受け皿本体底部全体に、均一に分散するように配置されている。凸部５の間の空間は、植木鉢の底から流れ出た余剰の水を収容する機能を持つ。複数の凸部５の上面は、いずれも所定の均一な高さにする必要がある。この複数の凸部５の上面は、受け皿本体底部から、上記所定の高さだけ高い位置で、植木鉢の底面の、排水孔を塞がない場所に接して植木鉢を支持する機能を持つ。
【００１０】
図５は実施例２の平面図である。
図６は図５のＡ、Ｂの断面図である。７は受け皿本体を示す。８は本発明の特徴である凸部を示し、この突部８の形状は受け皿本体底部が円形であって、その中心からみたときに、凸部が同心円状に分散配置されている。この形状の意味は前記と同様、植木鉢を安定、かつ植木鉢の排水孔を塞ない為である。この凸部８の高さは１５ｍｍとした。
図７は実施例３の平面図である。
【００１１】
図８は図７のＡ、Ｂの断面図である。
この実施例３の目的は受け皿に貯まった水を有効に使用することである。
その為に図４、図５で示した実施例１の受け皿本体４の中央に水浸透性材料１０を取り付、この水浸透性材料１０の毛細管現象を利用して受け皿にたまった水を植木鉢に少しずつ給水させる機能を有した受け皿である。
９は水浸透性材料１０を取り付けた受け皿本体を示す。
即ち、この実施例３では、実施例１の凸部４の間の空間に、水浸透性材料１０を配置した。この水浸透性材料１０は、凸部の間の空間から凸部上面に支持された植木鉢下面にある排水孔に接する部分まで延長されたブロック状体からなる。水浸透性材料とは、吸水性があり、かつ伸縮性を有するものをいう（例、スポンジ）。ブロック状体は、棒状でも柱状でも、紐状でも構わない。伸縮性は、自然に放置したときに初期のブロック形状を保ち、植木鉢の荷重によって凸部４の高さまで変形できる伸縮性のある部材であれば良い。
【００１２】
図９は実施例４の平面図である。
図１０は図９のＡ，Ｂの断面図である。
この実施例４の目的は既成の植木鉢に本考案の特徴を持たせることである。
実施例１の凸部５は受け皿４に、実施例２の凸部８は受け皿７と一体になった実施例であるが、本実施例４は既成の植木鉢に凸部を設けさせることができる機構を考案した。
１１は円形の板で、１２は凸部を示す。凸部１２は円形の板１１と一体になっている。
即ち、既成の受け皿の中に図９、１０で示す実施例４を置けば、既成の受け皿であっても本考案の目的が達成できる。
なお、本実施例４では凸部１２を固定する方法として円形の板状としたがこの形状は特に限定する必要は無く、凸部１２を保持できれがどのような形状、機構でもかまわない。
また、これらの部材は特に限定する必要はないが実施例４ではプラスチック材とした。
【図面の簡単な説明】
【００１３】
【図１】植木鉢と市販の現状の受け皿との関係を示す
【図２】植木鉢と本発明による凸部を有する受け皿の実施例１との関係を示す。
【図３】本発明の凸部を有する受け皿の実施例１の平面図を示す。
【図４】図３の断面図を示す。
【図５】本発明の凸部を有する受け皿の実施例２の平面図を示す。
【図６】図５の断面図を示す。
【図７】本発明の凸部と水浸透性材料を有する受け皿の実施例３の平面図を示す。
【図８】図７の断面図を示す。
【図９】本発明により既成の受け皿用凸部の平面図を示す。
【図１０】図９の断面図を示す。
【符号の説明】
【００１４】
１    植木鉢
２    現状の植木鉢の受け皿
３    前記２に貯まった水の状態
４    本発明による実施例１の受け皿
５    前記４の実施例１の凸部
６    前記４の実施例１の受け皿に貯まった水
７    本発明による実施例２の受け皿
８    前記７の実施例２の凸部
９    本発明による実施例３の受け皿
１０  前記９の実施例３に取り付けた水浸透性材料
１１  本発明による実施例４の円形板
１２  前記１１の実施例４の凸部
【図１】
2005065609.tif 000003
【図２】
2005065609.tif 000004
【図３】
2005065609.tif 000005
【図４】
2005065609.tif 000006
【図５】
2005065609.tif 000007
【図６】
2005065609.tif 000008
【図７】
2005065609.tif 000009
【図８】
2005065609.tif 000010
【図９】
2005065609.tif 000011
【図１０】
2005065609.tif 000012